(57)【特許請求の範囲】
【請求項１】
複数のヘッド部材から構成される塗布ヘッドを有し、これらヘッド部材の互いに間隔をあけて対向する内側面同士の間に、前記塗布ヘッドの先端に開口して該塗布ヘッドの長手方向に延びる溝状のスロットが画成され、塗布液が前記スロット内を流通して前記塗布ヘッドの先端から吐出される塗布工具であって、
前記ヘッド部材は、
超硬合金からなり、前記スロットを形成するエッジ部材と、
前記エッジ部材が先端に取り付けられるとともに、該エッジ部材の少なくとも前記内側面とは反対側を向く外側面を支持するエッジ支持体と、
前記エッジ部材を前記エッジ支持体に取り付ける取付部材と、を備え、
前記エッジ部材の前記外側面には、前記長手方向に延びる溝部が形成され、前記溝部の溝幅は、その開口部よりも底部が大きくされており、
前記取付部材は、
前記長手方向に延び、前記溝部に係合されることにより、前記エッジ部材に対して該溝部の底部から開口部側へ向けた移動が規制される係合部と、
前記係合部に設けられ、前記エッジ支持体を挿通するネジ部材が螺着されるとともに、このネジ部材をねじ回すことで該係合部を前記溝部の底部から開口部側へ引き込み可能な螺着部と、を備えることを特徴とする塗布工具。
【請求項２】
請求項１に記載の塗布工具であって、
前記溝部と前記係合部とが互いに当接する当接面同士は、接着剤により接着されていることを特徴とする塗布工具。
【請求項３】
請求項１又は２に記載の塗布工具であって、
前記溝部と前記係合部とが互いに当接する当接面同士のうち、前記溝部の当接面は、該溝部の溝幅方向に対向して一対形成されており、
前記溝部における一対の当接面同士は、前記溝部の底部から開口部側へ向かうに従い漸次互いの距離を接近させるように傾斜して形成されていることを特徴とする塗布工具。
【請求項４】
請求項３に記載の塗布工具であって、
前記係合部の当接面は、前記溝幅方向に背向して一対形成されており、
前記係合部における一対の当接面同士は、前記溝部の当接面の傾斜形状に対応して、前記溝部の底部から開口部側へ向かうに従い漸次互いの距離を接近させるように傾斜して形成されていることを特徴とする塗布工具。
【請求項５】
請求項１〜４のいずれか一項に記載の塗布工具であって、
前記溝部の底部と前記係合部との間には、空間が設けられているとともに、前記溝部と前記係合部との係合による固定前の状態において、前記溝部に対する前記係合部の少なくとも前記長手方向へ向けた移動が許容されていることを特徴とする塗布工具。
【発明の詳細な説明】
【技術分野】
【０００１】
本発明は、シート状部材やパネル状部材などの被塗布物の表面に、塗布液を塗布する際に使用される塗布工具に関する。
【背景技術】
【０００２】
従来、この種の塗布工具として、例えば下記特許文献１に示されるような、一対のヘッド部材から構成される塗布ヘッドを有し、一対のヘッド部材の互いに間隔をあけて対向する内側面同士の間に、前記塗布ヘッドの先端に開口して該塗布ヘッドの長手方向に延びる溝状のスロットが画成され、塗布液が前記スロット内を流通して前記塗布ヘッドの先端から吐出されるものが知られている。
【０００３】
この塗布工具は、塗布ヘッドの先端を被塗布物に対向配置させるとともに、塗布ヘッドの長手方向（スロットの長手方向）を被塗布物の幅方向に一致させるようにして塗布装置に装着される。
そして、塗布液タンクから供給ポンプによって塗布ヘッドのポケット内に供給された塗布液が、スロット内を流通して塗布ヘッドの先端から吐出されることにより、この塗布ヘッドの先端に対して相対的に移動する被塗布物の表面に塗布液が塗布されるようになっている。
【０００４】
また、近年では、塗布工具のヘッド部材の先端に、超硬合金からなるエッジ部材をろう付けにより配設して、スロットを形成することが行われている。すなわち、高硬度、高剛性の超硬合金によって塗布液を塗布するエッジ（刃先）部分を形成することにより、このエッジの耐摩耗性や真直度などの精度を高めると同時に、該エッジをシャープに形成して塗布液の液離れ性を向上させ、均一な層厚でより薄い層を塗布できるようにしている。
【先行技術文献】
【特許文献】
【０００５】
【特許文献１】特開２００４−６６０１６号公報
【発明の概要】
【発明が解決しようとする課題】
【０００６】
しかしながら、前述した従来の塗布工具においては、前記エッジ部材が、ヘッド部材のエッジ支持体に対してろう付けにより取り付けられているために、塗布精度を確保することが難しかった。
すなわち、超硬合金からなるエッジ部材と、ステンレス鋼等の鋼材からなるエッジ支持体との互いの熱膨張係数の違いから、ろう付け時にはエッジ部材がエッジ支持体先端に真っ直ぐに取り付けられていたとしても、当該塗布工具の使用時においては、エッジ部材にその長手方向（被塗布物においては幅方向）に沿って反りや曲がりが生じてしまい、これによって被塗布物に塗布される塗布物の層厚が不均一になることがあった。
【０００７】
このため、上記特許文献１では、エッジ部材とエッジ支持体とを直接ろう付けすることなく、該エッジ部材にクランプ駒をろう付け又は接着により設けるとともに、該クランプ駒にエッジ支持体を挿通するクランプネジを螺着して、エッジ支持体にエッジ部材を取り付けている。
しかしながら、エッジ部材とクランプ駒とをろう付けで接合した場合には、ろう付け領域を低減しているとはいえ、やはりエッジ部材に変形が生じる可能性があり、またエッジ部材とクランプ駒とを接着剤で接着した場合には、前述のような変形を防止できるとはいえ、クランプネジの締め付け具合や経時的な変質などにより当該接着部分に剥離が生じる可能性がある。
【０００８】
本発明は、このような事情に鑑みてなされたものであって、エッジ部材とエッジ支持体との取り付け剛性を十分に確保しつつも、該エッジ部材の変形を防止でき、塗布精度を安定して高めることができる塗布工具を提供することを目的としている。
【課題を解決するための手段】
【０００９】
このような課題を解決して、前記目的を達成するために、本発明は以下の手段を提案している。
すなわち、本発明は、複数のヘッド部材から構成される塗布ヘッドを有し、これらヘッド部材の互いに間隔をあけて対向する内側面同士の間に、前記塗布ヘッドの先端に開口して該塗布ヘッドの長手方向に延びる溝状のスロットが画成され、塗布液が前記スロット内を流通して前記塗布ヘッドの先端から吐出される塗布工具であって、前記ヘッド部材は、超硬合金からなり、前記スロットを形成するエッジ部材と、前記エッジ部材が先端に取り付けられるとともに、該エッジ部材の少なくとも前記内側面とは反対側を向く外側面を支持するエッジ支持体と、前記エッジ部材を前記エッジ支持体に取り付ける取付部材と、を備え、前記エッジ部材の前記外側面には、前記長手方向に延びる溝部が形成され、前記溝部の溝幅は、その開口部よりも底部が大きくされており、前記取付部材は、前記長手方向に延び、前記溝部に係合されることにより、前記エッジ部材に対して該溝部の底部から開口部側へ向けた移動が規制される係合部と、前記係合部に設けられ、前記エッジ支持体を挿通するネジ部材が螺着されるとともに、このネジ部材をねじ回すことで該係合部を前記溝部の底部から開口部側へ引き込み可能な螺着部と、を備えることを特徴とする。
【００１０】
本発明の塗布工具によれば、ヘッド部材においてスロットを形成するエッジ部材が、超硬合金からなるので、このような高硬度、高剛性の超硬合金によって塗布液を塗布するエッジ（刃先）部分を形成することにより、このエッジの耐摩耗性や真直度などの精度が高められると同時に、該エッジをシャープに形成して塗布液の液離れ性を向上でき、均一な層厚でより薄い層を被塗布物に塗布可能である。
【００１１】
そして、このエッジ部材において、スロットを画成する内側面とは反対側を向く外側面には、溝部が形成されており、この溝部には、取付部材の係合部が係合されるようになっている。溝部に係合部が係合されることによって、エッジ部材に対して、取付部材が溝部の底部から開口部側（つまり内側面から外側面へ向かう方向）へ移動することが規制され、さらに当該取付部材の螺着部に、エッジ支持体を挿通してネジ部材が螺着されることで、係合部が前記開口部側へ引き込まれるとともに、エッジ部材がエッジ支持体に強固に取り付けられる。
【００１２】
すなわち、本発明では、例えば従来のようにエッジ部材とエッジ支持体とを直接ろう付けしたり、該エッジ部材にクランプ駒等をろう付けしたりする必要はなく、よってエッジ部材に熱応力による負荷が生じないので、該エッジ部材の反りや曲がり等の変形を効果的に防止できる。つまり、ろう付けを用いるようなことなく、前述した係合によって、エッジ支持体に対するエッジ部材の取り付け剛性を確保できるのである。
【００１３】
そして、これら溝部と係合部との係合については、ネジ部材を緩めることで容易に解除できるから、例えば、エッジ（刃先）の再研磨等によりエッジ部材が寿命となったときに、該エッジ部材を簡単に新しいものに交換することができる。またこの際、エッジ部材のみを交換すればよく、エッジ支持体、取付部材及びネジ部材などはそのまま使用可能であるから、設備費用が削減される。
【００１４】
このように、本発明によれば、エッジ部材とエッジ支持体との取り付け剛性を十分に確保しつつも、該エッジ部材の変形を防止でき、塗布精度を安定して高めることができるのである。
【００１５】
また、本発明の塗布工具において、前記溝部と前記係合部とが互いに当接する当接面同士は、接着剤により接着されていることとしてもよい。
【００１６】
この場合、溝部と係合部とは、互いの当接面同士が接着剤で接着されているので、前述した溝部と係合部との係合によって規制される相対移動とは異なる向きへの相対移動（例えば、溝部と係合部との前記長手方向に沿うスライド移動など）も確実に規制されることになり、エッジ支持体に対するエッジ部材の取り付け剛性がより高められている。
【００１７】
また、このように溝部と係合部の当接面同士が接着されていることで、エッジ部材と取付部材とが一体化されて該エッジ部材の剛性が高められることになり、さらにエッジ部材の変形が抑制されている。そして、取付部材の螺着部に対してネジ部材をねじ込んでいく（係合部を溝部の開口部側へ引き込んでいく）にあたっては、これら当接面同士はより強く互いに押し付けられることになるため、これら当接面同士の接着部分に剥離が生じるおそれはない。
【００１８】
また、溝部と係合部との接着については、例えば接着剤の接着強度の設定や溶剤等により容易に解除（取り外し）可能であるから、前述のようにエッジ部材を交換することが可能である。
【００１９】
また、本発明の塗布工具において、前記溝部と前記係合部とが互いに当接する当接面同士のうち、前記溝部の当接面は、該溝部の溝幅方向に対向して一対形成されており、前記溝部における一対の当接面同士は、前記溝部の底部から開口部側へ向かうに従い漸次互いの距離を接近させるように傾斜して形成されていることとしてもよい。
また、本発明の塗布工具において、前記係合部の当接面は、前記溝幅方向に背向して一対形成されており、前記係合部における一対の当接面同士は、前記溝部の当接面の傾斜形状に対応して、前記溝部の底部から開口部側へ向かうに従い漸次互いの距離を接近させるように傾斜して形成されていることとしてもよい。
【００２０】
この場合、溝部の当接面及び係合部の当接面の形成が容易である。また、溝部と係合部との当接面同士の密着性、ひいては接着面積を確保しやすくなり、これらの接着強度がより高められる。
【００２１】
また、本発明の塗布工具において、前記溝部の底部と前記係合部との間には、空間が設けられているとともに、前記溝部と前記係合部との係合による固定前の状態において、前記溝部に対する前記係合部の少なくとも前記長手方向へ向けた移動が許容されていることとしてもよい。
【００２２】
この場合、溝部に係合部が係合された固定状態で、該溝部の底部と係合部との間に空間が設けられているので、この空間を利用して、これら溝部及び係合部の固定前の状態（溝部内に係合部が配設されつつも、これらが互いに固定されていない状態）において、溝部に対する係合部の前記長手方向に沿うスライド移動等が簡単に行える。従って、溝部内の所定位置に係合部を容易に取り付けることができる。
【発明の効果】
【００２３】
本発明の塗布工具によれば、エッジ部材とエッジ支持体との取り付け剛性を十分に確保しつつも、該エッジ部材の変形を防止でき、塗布精度を安定して高めることができる。
【図面の簡単な説明】
【００２４】
【図１】本発明の一実施形態に係る塗布工具の要部を示す断面図である。
【図２】図１の塗布工具のエッジ部材と取付部材との係合を説明する（ａ）側面図、（ｂ）下面図である。
【発明を実施するための形態】
【００２５】
以下、本発明の一実施形態に係る塗布工具１について、図面を参照して説明する。
図１に示されるように、本実施形態の塗布工具１は、例えば可撓性を有するシート状部材やパネル状部材などの被塗布物Ｓの表面に、塗布液を所定の層厚となるように塗布するものである。
【００２６】
塗布工具１は、複数のヘッド部材２から構成される塗布ヘッド３を有し、これらヘッド部材２の互いに間隔をあけて対向する内側面４同士の間に、塗布ヘッド３の先端に開口して該塗布ヘッド３の長手方向に延びる溝状のスロット５が画成され、塗布液がスロット５内を流通して塗布ヘッド３の先端から吐出されるようになっている。
【００２７】
塗布工具１は、塗布ヘッド３の先端を被塗布物Ｓに対向配置させるとともに、塗布ヘッド３の長手方向（スロット５の長手方向）を被塗布物Ｓの幅方向に一致させるようにして不図示の塗布装置に装着される。そして、塗布液タンクから供給ポンプによって塗布ヘッド３のポケット内に供給された塗布液は、スロット５内を流通して塗布ヘッド３の先端から吐出されることにより、この塗布ヘッド３の先端に対して図中の移動方向Ａに移動する被塗布物Ｓの表面に、塗布液が塗布される。
尚、本明細書では、塗布ヘッド３から被塗布物Ｓへ向けて塗布液が吐出される向き（図１における下側）を先端側といい、前記先端側とは反対へ向かう方向（図１における上側）を基端側という。また、前記長手方向とは、図１の紙面に垂直な方向である。
【００２８】
具体的に、図１において、被塗布物Ｓは、帯状をなして連続的に送り出されつつ移動方向Ａに移動しており、塗布工具１は、この被塗布物Ｓの幅方向（図１の紙面に垂直な方向）に延びる長尺の塗布ヘッド３が、その先端部を下向きにして該被塗布物Ｓに対向するようにこの被塗布物Ｓ上に配置されており、この塗布ヘッド３は一対のヘッド部材２（２Ａ、２Ｂ）が間に幅狭スリット状のスロット５をあけて移動方向Ａに隣接するように配設されて構成されている。
尚、例えば特開２００４−６６０１６号公報の図２及び図３に示されるように、本実施形態の塗布ヘッド３は、移動方向Ａに隣接する３つ以上のヘッド部材２から構成されるとともに、これらヘッド部材２同士の間にそれぞれスロット５が形成されていて、被塗布物Ｓの表面に塗布液が複数の層をなすように同時に塗布可能な構成とされていてもよい。
【００２９】
ヘッド部材２は、超硬合金からなり、スロット５を形成するエッジ部材６と、エッジ部材６が先端に取り付けられるとともに、該エッジ部材６の少なくとも内側面４とは反対側を向く外側面７を支持するエッジ支持体８と、エッジ部材６をエッジ支持体８に取り付ける取付部材９と、を備えている。
【００３０】
エッジ部材６は、矩形板状をなしており、ヘッド部材２Ａ、２Ｂの先端部に互いに対向してそれぞれ配設されている。ヘッド部材２Ａ、２Ｂに装着されたエッジ部材６は、前記長手方向に延びているとともに、その厚さ方向が移動方向Ａに沿うように配置されている。エッジ部材６の先端部は、ヘッド部材２Ａ、２Ｂから先端側に向けて突出しており、その先端面１０が被塗布物Ｓの上面に所定の間隔をあけて対向配置されている。
【００３１】
また、ヘッド部材２Ａ、２Ｂのエッジ部材６同士は、互いに対向する内側面１１（４）間に前記厚さ方向に所定の隙間をあけてスロット５を画成しているとともに、これらエッジ部材６の隣り合う先端面１０同士の間で前記隙間が先端側に向けて開口されることにより、スロット５は先端側に開口された溝状となっている。
【００３２】
エッジ部材６の外側面７には、前記長手方向に延びる溝部１２が形成されている。
図２（ａ）（ｂ）に示されるように、溝部１２は、エッジ部材６の前記長手方向に沿う全長に亘って形成されているとともに、該長手方向の両端面及び外側面７にそれぞれ開口されている。
【００３３】
図１において、溝部１２は、該溝部１２の溝幅方向（図１における上下方向）に間隔をあけて対向する一対の内壁１３と、これら内壁１３同士を溝部１２の底部側で繋ぐ底壁１４と、を備えている。溝部１２の溝幅は、その外側面７側に位置する開口部よりも、底壁１４側の底部が大きくされている。溝部１２の内壁１３は、取付部材９の後述する係合部２２の外壁２５に当接される、溝部１２の当接面となっている。
【００３４】
溝部１２における一対の内壁１３同士は、該溝部１２の底部から開口部側へ向かうに従い漸次互いの距離を接近させるように傾斜して形成されている。具体的に、図１に示される縦断面視において、一対の内壁１３のうち、基端側に位置する内壁１３は、その隣接する底壁１４から離間するに従い漸次先端側に向かって傾斜している。また、一対の内壁１３のうち、先端側に位置する内壁１３は、その隣接する底壁１４から離間するに従い漸次基端側に向かって傾斜している。また、底壁１４は、外側面７に平行な面とされている。
【００３５】
エッジ支持体８は、ステンレス鋼等の鋼材からなり、直方体状又は矩形板状をなしている。ヘッド部材２Ａ、２Ｂのエッジ支持体８同士は、移動方向Ａに隣接して対向配置されており、前記長手方向に沿ってそれぞれ延びている。
【００３６】
エッジ支持体８の先端部には、矩形穴状に切り欠かれて先端側及び内側面４側に開口する凹部１５が形成されており、該凹部１５には、エッジ部材６が配設される。エッジ支持体８の凹部１５において、移動方向Ａ（又はその反対側）を向く側面１６は、該凹部１５に取り付けられるエッジ部材６の外側面７に当接される。また、エッジ支持体８の凹部１５において、先端側を向く壁面１７は、該凹部１５に取り付けられるエッジ部材６の基端面１８に当接される。図示の例では、側面１６と壁面１７との繋ぎ部分に、凹状のぬすみ部が形成されている。
【００３７】
エッジ支持体８において、凹部１５より基端側に位置してスロット５を画成する内側面１９と、エッジ部材６の内側面１１とは、互いに面一とされている。これら内側面１９及び１１が平滑に連なっていることで、ヘッド部材２の内側面４が平坦に形成されている。
【００３８】
また、凹部１５の側面１６において、エッジ部材６の溝部１２に対応する位置には、取付孔２０が開口されている。取付孔２０は、取付部材９の後述する螺着部２３に対応して、エッジ支持体８に前記長手方向に間隔をあけて複数穿設されているとともに、該エッジ支持体８を移動方向Ａに貫通して形成されている。
【００３９】
取付孔２０において、該取付孔２０が穿設される向き（移動方向Ａ）に沿う中央部は、他の部位よりも小径とされた小径部２１となっている。取付孔２０において、小径部２１よりエッジ部材６側に位置する部位は、少なくとも取付部材９の後述する係合部２２を収容可能に前記長手方向に溝状に延びて形成されているとともに、隣り合う他の取付孔２０に連通している。
【００４０】
取付部材９は鋼材等からなり、矩形板状をなして前記長手方向に延びる係合部２２と、該係合部２２の厚さ方向を向く両面のうち、エッジ部材６とは反対側を向く一面に前記長手方向に間隔をあけてろう付けや溶接、ねじ止め及び接着等により配設される複数の螺着部２３とを備えている。
【００４１】
係合部２２は、エッジ部材６の溝部１２に係合可能であり、この溝部１２に係合されることによって、該エッジ部材６に対して溝部１２の底部から開口部側へ向けた移動が規制されるようになっている。
【００４２】
また、係合部２２の厚さ方向を向く両面のうち、エッジ部材６とは反対側を向く一面は、エッジ部材６側を向く他面よりも幅（溝部１２の溝幅方向に沿う長さ）が小さくされている。またこれにより、係合部２２の前記一面と前記他面とを繋ぎ前記溝幅方向に背向される（背中合わせに配置される）一対の外壁２５同士は、前記他面から前記一面側へ向かうに従い漸次互いの距離を接近させるように傾斜して形成されている。
【００４３】
係合部２２の外壁２５は、溝部１２の内壁（当接面）１３に当接される係合部２２の当接面となっている。具体的に、係合部２２における一対の外壁２５は、溝部１２における一対の内壁１３の傾斜形状にそれぞれ対応して形成されており、該係合部２２が溝部１２に係合された状態で、これら外壁２５同士は、溝部１２の底部から開口部側へ向かうに従い漸次互いの距離を接近させている。
【００４４】
そして、溝部１２と係合部２２とが互いに当接する当接面同士、すなわち溝部１２及び係合部２２において互いに当接される内壁１３と外壁２５とは、接着剤により接着されている。これら当接面１３、２５同士を接着する接着剤としては、例えば、嫌気性接着剤やエポキシ系接着剤等が挙げられる。
【００４５】
尚、これら当接面１３、２５同士を接着する際においては、エッジ部材６及び係合部２２ひいては取付部材９の温度、並びに好ましくは当該接着剤の温度を、塗布ヘッド３の使用温度、すなわち被塗布物Ｓへの薄層の形成時にスロット５を通って吐出される塗布液の温度にまで昇温させた状態で、接着を行うことが望ましい。
【００４６】
また、このように係合部２２が溝部１２内に係合された状態（図１に示されるように、溝部１２と係合部２２とが係合により固定された状態）で、該係合部２２の前記他面（溝部１２の底壁１４側を向く面）と、溝部１２の底部すなわち底壁１４との間には、若干の空間が設けられている。
【００４７】
また、螺着部２３は、円筒状をなしており、その内周面には雌ネジ加工が施されて、雌ネジ部が形成されている。螺着部２３は、係合部２２に一体に設けられており、エッジ支持体８の取付孔２０に挿通されたネジ部材２４がその前記雌ネジ部に螺着されるとともに、このネジ部材２４をねじ回す（ねじ込む）ことで、該係合部２２を溝部１２の底部から開口部側へ引き込み可能とされている。また図示の例では、前記雌ネジ部は、螺着部２３のみならず係合部２２にまで穿設されているとともに、これら螺着部２３及び係合部２２を貫通して形成されている。従って、図示の例ではネジ部材２４の先端が螺着部２３内に位置しているが、この代わりに、該先端が係合部２２内に位置していてもよく、この場合、係合部２２と螺着部２３とがたとえ接着されているのみであっても、これらがより強固に一体化されて、取付部材９全体の剛性が高められることになる。
【００４８】
ネジ部材２４は、例えばクランプネジ等からなり、その螺着部２３に螺着される端部とは反対側の端部が、取付孔２０の小径部２１よりも大径の頭部とされている。図示の例では、ネジ部材２４はその頭部も含めて、取付孔２０内に収容されている。
【００４９】
以上説明した本実施形態の塗布工具１によれば、ヘッド部材２においてスロット５を形成するエッジ部材６が、超硬合金からなるので、このような高硬度、高剛性の超硬合金によって塗布液を塗布するエッジ（刃先）部分を形成することにより、このエッジの耐摩耗性や真直度などの精度が高められると同時に、該エッジをシャープに形成して塗布液の液離れ性を向上でき、均一な層厚でより薄い層を被塗布物Ｓに塗布可能である。
【００５０】
そして、このエッジ部材６において、スロット５を画成する内側面１１（４）とは反対側を向く外側面７には、溝部１２が形成されており、この溝部１２には、取付部材９の係合部２２が係合されるようになっている。溝部１２に係合部２２が係合されることによって、エッジ部材６に対して、取付部材９が溝部１２の底部から開口部側（つまり内側面１１から外側面７へ向かう方向）へ移動することが規制され、さらに当該取付部材９の螺着部２３に、エッジ支持体８を挿通してネジ部材２４が螺着されることで、係合部２２が前記開口部側へ引き込まれるとともに、エッジ部材６がエッジ支持体８に強固に取り付けられる。
【００５１】
すなわち、本実施形態では、例えば従来のようにエッジ部材とエッジ支持体とを直接ろう付けしたり、該エッジ部材にクランプ駒等をろう付けしたりする必要はなく、よってエッジ部材６に熱応力による負荷が生じないので、該エッジ部材６の反りや曲がり等の変形を効果的に防止できる。つまり、ろう付けを用いるようなことなく、前述した係合によって、エッジ支持体８に対するエッジ部材６の取り付け剛性を確保できるのである。
【００５２】
そして、これら溝部１２と係合部２２との係合については、ネジ部材２４を緩めることで容易に解除できるから、例えば、エッジ（刃先）の再研磨等によりエッジ部材６が寿命となったときに、該エッジ部材６を簡単に新しいものに交換することができる。またこの際、エッジ部材６のみを交換すればよく、エッジ支持体８、取付部材９及びネジ部材２４などはそのまま使用可能であるから、設備費用が削減される。
【００５３】
このように、本実施形態によれば、エッジ部材６とエッジ支持体８との取り付け剛性を十分に確保しつつも、該エッジ部材６の変形を防止でき、塗布精度を安定して高めることができるのである。
【００５４】
さらに、溝部１２と係合部２２とは、互いの当接面１３、２５同士が接着剤で接着されているので、前述した溝部１２と係合部２２との係合によって規制される相対移動とは異なる向きへの相対移動（例えば、溝部１２と係合部２２との前記長手方向に沿うスライド移動など）も確実に規制されることになり、エッジ支持体８に対するエッジ部材６の取り付け剛性がより高められている。
【００５５】
また、このように溝部１２と係合部２２の当接面１３、２５同士が接着されていることで、エッジ部材６と取付部材９とが一体化されて該エッジ部材６の剛性が高められることになり、さらにエッジ部材６の変形が抑制されている。そして、取付部材９の螺着部２３に対してネジ部材２４をねじ込んでいく（係合部２２を溝部１２の開口部側へ引き込んでいく）にあたっては、これら当接面１３、２５同士はより強く互いに押し付けられることになるため、これら当接面１３、２５同士の接着部分に剥離が生じるおそれはない。
【００５６】
また、溝部１２と係合部２２との接着については、例えば接着剤の接着強度の設定や溶剤等により容易に解除（取り外し）可能であるから、前述のようにエッジ部材６を交換することが可能である。
【００５７】
また、溝部１２及び係合部２２において互いに当接される当接面１３と当接面２５のうち、溝部１２における一対の当接面１３同士は、該溝部１２の底部から開口部側へ向かうに従い漸次互いの距離を接近させるように傾斜して形成されており、係合部２２における一対の当接面２５同士は、溝部１２の当接面１３の傾斜形状に対応して、該溝部１２の底部から開口部側へ向かうに従い漸次互いの距離を接近させるように傾斜して形成されているので、下記の効果を奏する。
【００５８】
すなわち、この場合、例えば後述するようにこれら当接面１３、２５を多段状に形成する場合に比べて、溝部１２の当接面１３及び係合部２２の当接面２５の形成が容易である。すなわち、これら当接面１３、２５が図１に示されるような傾斜面とされていることで、該当接面１３、２５を加工する工程を少なくでき、また、特に溝部１２の当接面１３を加工する際においても特殊な切削工具等を必要としない。また、溝部１２と係合部２２との当接面１３、２５同士の密着性、ひいては接着面積を確保しやすくなり、これらの接着強度がより高められる。
【００５９】
また、溝部１２に係合部２２が係合された固定状態で、該溝部１２の底部と係合部２２との間に空間が設けられているので、この空間を利用して、これら溝部１２及び係合部２２の固定前の状態（溝部１２内に係合部２２が配設されつつも、これらが互いに固定されていない状態）において、溝部１２に対する係合部２２の前記長手方向に沿うスライド移動等が簡単に行える。従って、溝部１２内の所定位置に係合部２２を容易に取り付ることができる。
【００６０】
尚、本発明は前述の実施形態に限定されるものではなく、本発明の趣旨を逸脱しない範囲において種々の変更を加えることが可能である。
【００６１】
例えば、取付部材９は、係合部２２に螺着部２３がろう付けや溶接、ねじ止め及び接着等により設けられることとしたが、これら係合部２２及び螺着部２３が一体に形成されていてもよい。
【００６２】
また、前述の実施形態では、溝部１２の当接面１３と係合部２２の当接面２５とが、接着剤により接着されていることとしたが、これに限定されるものではなく、例えばこれらが接着されておらず、ネジ部材２４の引き込みのみによって溝部１２に係合部２２が強固に係合されて固定されていることとしても構わない。ただし、当接面１３、２５同士が接着されていることで、前述したように溝部１２に対する係合部２２の前記長手方向に沿うスライド移動などが確実に規制されることになり、エッジ支持体８に対するエッジ部材６の取り付け剛性がより高められるとともに、エッジ部材６と取付部材９とが一体化されて該エッジ部材６の剛性が高められ、エッジ部材６の変形が効果的に抑制されることから、好ましい。
【００６３】
また、前述の実施形態では、溝部１２及び係合部２２の当接面１３、２５が、ともに傾斜面であることとしたが、これに限定されるものではなく、例えば、これら当接面１３、２５が、互いに対応する多段状に形成されたり、曲面状に形成されたりして係合する形状とされていてもよい。この場合も、溝部１２は、その底部が開口部よりも溝幅が大きくなるように形成される。
【符号の説明】
【００６４】
１  塗布工具
２（２Ａ、２Ｂ）  ヘッド部材
３  塗布ヘッド
４  内側面
５  スロット
６  エッジ部材
７  外側面
８  エッジ支持体
９  取付部材
１１  エッジ部材の内側面
１２  溝部
１３  内壁（溝部の当接面）
１４  底壁（溝部の底部）
１９  エッジ支持体の内側面
２２  係合部
２３  螺着部
２４  ネジ部材
２５  外壁（係合部の当接面）
【図１】
0005783112.tif 000002
【図２】
0005783112.tif 000003